(57)【特許請求の範囲】
【請求項１】
第１のカードと、該第１のカードよりも長さが長く幅狭な第２のカードとの何れかを選択的に挿着可能な収納部を有するハウジングと、前記第１のカードの接触端子部と接続される第１のコネクタ端子と、前記第１のコネクタ端子の配設位置よりもカード挿入方向の奥側で前記収納部に配設され、前記第２のカードの接触端子部と接続される第２のコネクタ端子と、前記カードの挿入方向及び排出方向に移動可能に配設されたスライド部材と、前記スライド部材を前記カードの排出方向へ付勢する付勢部材と、前記付勢部材の付勢力に抗して前記スライド部材をカードの挿着位置にロックするロック手段とを備え、
前記スライド部材は、前記第２のカードの前端部とは当接せず、前記第１のカードの前端部と当接する位置に設けられた第１の係止部を有する第１のスライド部材と、前記第２のカードの前端部とのみ当接する第２の係止部を有する第２のスライド部材とを有し、前記第１のスライド部材を前記カードの挿入方向の後方で、かつ前記第２のスライド部材を前記カードの挿入方向の前方で、前記カードの挿入方向に沿って前後に並設し、前記第１のカードが前記収納部に挿入された時に、前記第１のカードの前端部と前記第１係止部が当接して前記第１のスライド部材及び前記第２のスライド部材を一体的に前記第１のカードの挿入方向に移動させ、前記第２のカードが前記収納部に挿入された時に、前記第２のカードの前端部と前記第２の係止部が当接して前記第２のスライド部材のみを前記第２のカードの挿入方向に移動させることを特徴カード用コネクタ装置。
【請求項２】
前記付勢手段は、前記第２のスライド部材を前記カードの排出方向へ付勢しており、前記ロック手段のハート型カム溝または係合ピンのいずれか一方は、前記第２のスライド部材に形成されていることを特徴とする請求項１記載のカード用コネクタ装置。
【請求項３】
前記第１のカードが前記収納部に挿入された時に、前記第２のスライド部材に設けられた前記ロック手段により前記第１のスライド部材および前記第２のスライド部材が所定の位置にロックされることを特徴とする請求項１又は請求項２記載のカード用コネクタ装置。
【発明の詳細な説明】
【技術分野】
【０００１】
本発明は、携帯電話などの各種携帯情報端末、デジタルカメラ、デジタルＡＶ機器などのメモリー対応機器に用いられる小型メモリーカードに使用される、カード用コネクタ装置の構造に関する。
【背景技術】
【０００２】
パーソナルコンピュータやデジタルカメラなどの電子機器の増設記録装置としてカード用コネクタ装置が一般的に使用されている。このカード用コネクタ装置の記憶媒体としてはＰＣカードやメモリーカードが広く使用されるようになってきている。
【０００３】
このＰＣカードやメモリーカードをカード用コネクタ装置に挿着して必要な情報の書き込み、及び読み取りを行うものであるが、近年においては、小型のメモリーカードには、長いもの、短いもの、厚いもの、薄いものなど、形状の異なる色々な種類のメモリーカードが開発されており、これらに対応してカード用コネクタ装置も様々な種類のものが開発されている。
【０００４】
この場合、カード用コネクタ装置としては１種類のメモリーカードにしか対応しておらず、一つのカード用コネクタ装置には特定の一つのメモリーカードしか挿着することができなかった。このため、色々な種類のメモリーカードを使用したい場合には、それぞれのメモリーカード専用のカード用コネクタ装置を準備する必要があった。
【発明の概要】
【発明が解決しようとする課題】
【０００５】
しかしながら、それぞれのメモリーカード専用のカード用コネクタ装置を準備する場合には、複数のカード用コネクタ装置を搭載するため電子機器が大型化してしまい、また、メモリーカードを挿着する際に、種類の異なるメモリーカードを間違って別のカード用コネクタに挿入してしまうという不具合が発生する問題があった。
【０００６】
したがって、本発明では上述した問題点を解決し、種類の異なる複数のカードを挿入かつ排出可能なカード用コネクタ装置を提供することを目的とする。
【課題を解決するための手段】
【０００７】
上記課題を解決するために本発明では第１の解決手段として、第１のカードと、該第１のカードよりも長さが長く幅狭な第２のカードとの何れかを選択的に挿着可能な収納部を有するハウジングと、前記第１のカードの接触端子部と接続される第１のコネクタ端子と、前記第１のコネクタ端子の配設位置よりもカード挿入方向の奥側で前記収納部に配設され、前記第２のカードの接触端子部と接続される第２のコネクタ端子と、前記カードの挿入方向及び排出方向に移動可能に配設されたスライド部材と、前記スライド部材を前記カードの排出方向へ付勢する付勢部材と、前記付勢部材の付勢力に抗して前記スライド部材をカードの挿着位置にロックするロック手段とを備え、前記スライド部材は、前記第２のカードの前端部とは当接せず、前記第１のカードの前端部と当接する位置に設けられた第１の係止部を有する第１のスライド部材と、前記第２のカードの前端部とのみ当接する第２の係止部を有する第２のスライド部材とを有し、前記第１のスライド部材を前記カードの挿入方向の後方で、かつ前記第２のスライド部材を前記カードの挿入方向の前方で、前記カードの挿入方向に沿って前後に並設し、前記第１のカードが前記収納部に挿入された時に、前記第１のカードの前端部と前記第１係止部が当接して前記第１のスライド部材及び前記第２のスライド部材を一体的に前記第１のカードの挿入方向に移動させ、前記第２のカードが前記収納部に挿入された時に、前記第２のカードの前端部と前記第２の係止部が当接して前記第２のスライド部材のみを前記第２のカードの挿入方向に移動させる構成とした。
【０００８】
また、第２の解決手段として、前記付勢手段は、前記第２のスライド部材を前記カードの排出方向へ付勢しており、前記ロック手段のハート型カム溝または係合ピンのいずれか一方は、前記第２のスライド部材に形成されている構成とした。
【０００９】
また、第３の解決手段として、前記第１のカードが前記収納部に挿入された時に、前記第２のスライド部材に設けられた前記ロック手段により前記第１のスライド部材および前記第２のスライド部材が所定の位置にロックされる構成とした。
【発明の効果】
【００１０】
上述したように、本発明のカード用コネクタ装置は、第１のカードと、該第１のカードよりも長さが長く幅狭な第２のカードとの何れかを選択的に挿着可能な収納部を有するハウジングと、前記第１のカードの接触端子部と接続される第１のコネクタ端子と、前記第１のコネクタ端子の配設位置よりもカード挿入方向の奥側で前記収納部に配設され、前記第２のカードの接触端子部と接続される第２のコネクタ端子と、前記カードの挿入方向及び排出方向に移動可能に配設されたスライド部材と、前記スライド部材を前記カードの排出方向へ付勢する付勢部材と、前記付勢部材の付勢力に抗して前記スライド部材をカードの挿着位置にロックするロック手段とを備え、前記スライド部材は、前記第２のカードの前端部とは当接せず、前記第１のカードの前端部と当接する位置に設けられた第１の係止部を有する第１のスライド部材と、前記第２のカードの前端部とのみ当接する第２の係止部を有する第２のスライド部材とを有し、前記第１のスライド部材を前記カードの挿入方向の後方で、かつ前記第２のスライド部材を前記カードの挿入方向の前方で、前記カードの挿入方向に沿って前後に並設し、前記第１のカードが前記収納部に挿入された時に、前記第１のカードの前端部と前記第１係止部が当接して前記第１のスライド部材及び前記第２のスライド部材を一体的に前記第１のカードの挿入方向に移動させ、前記第２のカードが前記収納部に挿入された時に、前記第２のカードの前端部と前記第２の係止部が当接して前記第２のスライド部材のみを前記第２のカードの挿入方向に移動させる構成としたことから、第１のカードが挿入された場合にはカードの挿入方向の後方側に配置された第１のスライド部材によって排出することができ、第２のカードが挿入された場合にはカードの挿入方向に沿って前後に配置された第１、第２のスライド部材によって排出することができるので、大型化することなく簡単な構成で第１のカード及び第２のカードの両方を排出することができる。
【００１１】
また、前記付勢手段は、前記第２のスライド部材を前記カードの排出方向へ付勢しており、前記ロック手段のハート型カム溝または係合ピンのいずれか一方は、前記第２のスライド部材に形成されている構成としたことから、第２のスライド部材を介して第１のスライド部材に付勢力を付与すると共に、その付勢力を第２のスライド部材に形成されたハート型カム溝または係合ピンで規制することが可能となる。
【００１２】
また、前記第１のカードが前記収納部に挿入された時に、前記第２のスライド部材に設けられた前記ロック手段により前記第１のスライド部材および前記第２のスライド部材が所定の位置にロックされる構成としたことから、第１のカードが収納部に挿入された時に、第２のスライド部材に設けられた単一のロック手段で第１、第２のスライド部材をカードの挿着位置にロックすることが可能となる。
【図面の簡単な説明】
【００１３】
【図１】本発明の一実施例であるカード用コネクタ装置を示す平面図である。
【図２】本発明の同じくカード用コネクタ装置のカバーを除いた状態を示す平面図である。
【図３】本発明の同じくハウジングを示す平面図である。
【図４】本発明の同じくスライド部材を示す平面図である。
【図５】本発明の同じく第１のカードを示す平面図である。
【図６】本発明の同じく第１のカードを示す正面図である。
【図７】本発明の同じく第１のカードを示す底面図である。
【図８】本発明の同じく第２のカードを示す平面図である。
【図９】本発明の同じく第２のカードを示す正面図である。
【図１０】本発明の同じく第２のカードを示す底面図である。
【図１１】本発明の第１のカードの排出時のカード用コネクタ装置を示す平面図である。
【図１２】本発明の第１のカードの排出時のカード用コネクタ装置を示す縦断面図である。
【図１３】本発明の第１のカードの挿着時のカード用コネクタ装置を示す平面図である。
【図１４】本発明の第１のカードの挿着時のカード用コネクタ装置を示す縦断面図である。
【図１５】本発明の第２のカードの排出時のカード用コネクタ装置を示す平面図である。
【図１６】本発明の第２のカードの排出時のカード用コネクタ装置を示す縦断面図である。
【図１７】本発明の第２のカードの挿着時のカード用コネクタ装置を示す平面図である。
【図１８】本発明の第２のカードの挿着時のカード用コネクタ装置を示す縦断面図である。
【図１９】本発明の第１のカードの排出時の保持部材との係合状態を示す部分説明図である。
【図２０】本発明の第１のカードの挿着時の保持部材との係合状態を示す部分説明図である。
【図２１】本発明の他の実施例である第１のスライド部材を示す平面図である。
【図２２】本発明の同じく第２のスライド部材を示す平面図である。
【図２３】本発明の同じく第１のカードの排出時のカード用コネクタ装置を示す平面図である。
【図２４】本発明の同じく第１のカードの排出時のカード用コネクタ装置を示す縦断面図である。
【図２５】本発明の同じく第１のカードの挿着時のカード用コネクタ装置を示す平面図である。
【図２６】本発明の同じく第１のカードの挿着時のカード用コネクタ装置を示す縦断面図である。
【図２７】本発明の同じく第２のカードの排出時のカード用コネクタ装置を示す平面図である。
【図２８】本発明の同じく第２のカードの排出時のカード用コネクタ装置を示す縦断面図である。
【図２９】本発明の同じく第２のカードの挿着時のカード用コネクタ装置を示す平面図である。
【図３０】本発明の同じく第２のカードの挿着時のカード用コネクタ装置を示す縦断面図である。
【発明を実施するための形態】
【００１４】
以下、本発明の実施形態を図１乃至図３０に示す。図１はカード用コネクタ装置の平面図、図２は同じくカバーを除いた状態の平面図、図３はハウジングの平面図、図４はスライド部材の平面図、図５は第１のカードの平面図、図６は同じく正面図、図７は同じく底面図、図８は第２のカードの平面図、図９は同じく正面図、図１０は同じく底面図、図１１は第１のカードの排出時のカード用コネクタ装置の平面図、図１２は同じく縦断面図、図１３は第１のカードの挿着時のカード用コネクタ装置の平面図、図１４は同じく縦断面図、図１５は第２のカードの排出時のカード用コネクタ装置の平面図、図１６は同じく縦断面図、図１７は第２のカードの挿着時のカード用コネクタ装置の平面図、図１８は同じく縦断面図、図１９は第１のカードの排出時の保持部材との係合状態を示す部分説明図、図２０は第１のカードの挿着時の保持部材との係合状態を示す部分説明図、図２１乃至図３０は他の実施例を示し、図２１は第１のスライド部材の平面図、図２２は第２のスライド部材の平面図、図２３は第１のカードの排出時のカード用コネクタ装置の平面図、図２４は同じく縦断面図、図２５は第１のカードの挿着時のカード用コネクタ装置の平面図、図２６は同じく縦断面図、図２７は第２のカードの排出時のカード用コネクタ装置の平面図、図２８は同じく縦断面図、図２９は第２のカードの挿着時のカード用コネクタ装置の平面図、図３０は同じく縦断面図である。
【００１５】
図１乃至図４において、ハウジング１は、合成樹脂などの絶縁材で前方及び上方が開口された方形状の箱形に形成されている。このハウジング１の中央には収納部１ａが設けられており、また、前記ハウジング１には、前記収納部１ａに連続してハウジング１の前面まで延びるカード挿入部１ｂが形成されている。
【００１６】
前記収納部１ａには、導電性の金属材からなる第１、及び第２のコネクタ端子２、３が複数個並設されている。前記第１のコネクタ端子２は、前記収納部１ａの略中央位置に配設されており、平板状の基部と、この基部から互いに対向する方向へ略Ｚ字状に屈曲されて形成された接続片２ａ及び接触片２ｂとから形成されている。前記第１のコネクタ端子２は、一端側に形成された前記接続片２ａが、前記収納部１ａの底面部に設けられた第１の開口部１ｃから外方へ表出して配設されており、この接続片２ａが電子機器などの外部の回路基板上の回路パターンと半田付けされて固着されることで信号の伝送が行われるものとなる。
【００１７】
また、前記第１のコネクタ端子２の基部の他端側に形成された前記接触片２ｂが、前記収納部１ａの底面部に設けられた第２の開口部１ｄから前記収納部１ａ内に突出して配設されたものとなっている。また、前記接触片２ｂの先端側には、後述する第１のカード１０の接触端子部１０ａに接続される接点部２ｃが形成されている。
【００１８】
前記第２のコネクタ端子３は、前記収納部１ａの前記第１のコネクタ端子２の配設位置よりも奥方に配設されており、平板状の基部と、この基部から互いに対向する方向へ屈曲されて形成された接続片３ａ及び接触片３ｂとから形成されている。前記第２のコネクタ端子３は、一端側に形成された前記接続片３ａが、前記収納部１ａの底面部に設けられた第３の開口部１ｅから外方へ表出して配設されており、この接続片３ａが電子機器などの外部の回路基板上の回路パターンと半田付けされて固着されることで信号の伝送が行われるものとなる。
【００１９】
また、前記第２のコネクタ端子３の基部の他端側に略Ｕ字状に屈曲されて形成された前記接触片３ｂが、前記収納部１ａ内に突出して配設されたものとなっている。また、前記接触片３ｂの先端側には、後述する第２のカード１１の接触端子部１１ａに接続される接点部３ｃが形成されている。
【００２０】
また、前記カード挿入部１ｂには、後述する第１及び第２のカード１０、１１の平面部を案内する平面からなる平坦部１ｆが設けられており、この平坦部１ｆを挟んで両側には、後述する第１及び第２のカード１０、１１の側面部を案内する一対のガイド部１ｇ、１ｇが形成されている。また、前記カード挿入部１ｂは、最大幅が第１のカード１０の幅と略等しくなるように形成されており、また、最大厚さは第２のカード１１の厚さと略等しくなるように形成されている。
【００２１】
また、前記ハウジング１の一側部後方には、後述するスライド部材６をカードの排出方向へ付勢するコイルばねからなる復帰ばね４を収容するばね収容部１ｈが形成されている。また、このばね収容部１ｈと対向する一側部前方には、スライド部材６をカードの挿着位置に保持する金属の線材からなるロックピン５の一端を回動可能に軸支する軸孔１ｉが形成されている。
【００２２】
また、前記ハウジング１の他側部中央には、前記収納部１ａ底面から突出された押圧当接部１ｊが形成されており、この押圧当接部１ｊに後述するスライド部材６に固着された第２の保持部材８の舌片部８ｃが当接して支持されるものとなっている。
【００２３】
スライド部材６は、合成樹脂などの絶縁材から形成されている。このスライド部材６には、手前側に位置して後述する第１のカード１０が収容される第１のカード収容部６ａと、この第１のカード収容部６ａより後方側に位置して後述する第２のカード１１が収容される第２のカード収容部６ｂとが形成されている。
【００２４】
また、前記第１のカード収容部６ａの内側部の対向した位置には、第１のカード１０の両側前端部と当接する一対の第１の係止部６ｃ、６ｄが形成されている。この第１の係止部６ｃ、６ｄ相互間の幅寸法は、第１のカード１０の幅よりも狭く、且つ、第２のカード１１の幅よりも広く形成されたものとなっている。また、前記第２のカード収容部６ｂの前端部には、第２のカード１１の前縁部と当接する横桟状の第２の係止部６ｅが形成されている。
【００２５】
また、前記第１のカード収容部６ａの前部には、横桟状に懸架された押さえ板部６ｆが形成されている。この押さえ板部６ｆは、前記スライド部材６がカードの排出位置に移動した状態では、前記第１のコネクタ端子２の接触片２ｂと当接して、前記第１のコネクタ端子２の接触片２ｂが前記収納部１ａ内へ突出するのを規制するようになっている。
【００２６】
また、前記第１のカード収容部６ａの一側面部には、収容される第１のカード１０の側面部に設けられた保持用凹部１０ｅに係合する、ばね性を有する金属板等からなる第１の保持部材７が固着されており、また、前記第２のカード収容部６ｂの一側面部には、同じく、収容される第２のカード１１の側面部に設けられた保持用凹部１１ｃに係合する、ばね性を有する金属板等からなる第２の保持部材８が固着されたものとなっている。
【００２７】
前記第１、第２の保持部材７、８は、片持ち梁状に支持された支持片部７ａ、８ａと、この支持片部７ａ、８ａの自由端側に設けられた係合片部７ｂ、８ｂと、この係合片部７ｂ、８ｂに対向して設けられた舌片部７ｃ、８ｃとから形成されている。また、前記舌片部７ｃ、８ｃには、前記支持片部７ａ、８ａの自由端側に、外方に向かって屈曲された傾斜面７ｄ、８ｄが形成されたものとなっている。
【００２８】
そして、前記スライド部材６が、カードの挿着位置に移動した時に、前記舌片部７ｃ、８ｃが後述するカバー部材９の押圧当接部９ａ、及び前記ハウジング１の押圧当接部１ｊに当接することにより、前記係合片部７ｂ、８ｂを前記支持片部７ａ、８ａと共にカードの保持用凹部１０ｅ、１１ｃから離脱しないように規制するようになっている。この時、前記傾斜面７ｄ、８ｄに、前記押圧当接部９ａ、１ｊが摺接することにより前記支持片部７ａ、８ａが湾曲付勢されて前記係合片部７ｂ、８ｂが前記カードの保持用凹部１０ｅ、１１ｃに弾接するように形成されている。
【００２９】
このように、前記保持部材７、８を、ばね性を有する金属板の持つ自らのばね性を利用して構成したことから、簡単な構成でカードを挿着位置に確実に保持することができるものとなっている。
【００３０】
また、前記スライド部材６には、前記ハウジング１のばね収容部１ｈに収容された、前記復帰ばね４の一端側が係止されるばね係止部６ｇが設けられており、また前記スライド部材６の一端側には、前記ハウジング１の一端側に軸支された前記ロックピン５の他端が摺接されるハート型カム溝６ｈが形成されている。前記ロックピン５と前記ハート型カム溝６ｈとの協同によって前記スライド部材６は、前記復帰ばね４の付勢力に抗してカードの挿着位置に保持されるものとなっている。
【００３１】
カバー部材９は、導電性の金属板から形成されており、前記ハウジング１の上面側の開口部を覆うように、前記ハウジング１の上面側に取り付けられている。また、このカバー部材９の一側部には、切り曲げることにより前記ハウジング１の収納部１ａ側へ突出された押圧当接部９ａが形成されており、この押圧当接部９ａに前記スライド部材６に固着された第１の保持部材７の舌片部７ｃが当接して支持されるものとなっている。また、同じく切り曲げることによって前記ハウジング１に軸支された前記ロックピン５を付勢して、前記スライド部材６のハート型カム溝６ｈと摺接させるための付勢ばね片９ｂが前記ロックピン５に対応した位置に形成されている。
【００３２】
尚、このカバー部材９は前記ハウジング１の収納部１ａに配設された前記第１及び第２のコネクタ端子２、３の上面を覆うように形成されており、外部からの輻射ノイズ等の侵入を防止するシールド板の役目も果たしている。
【００３３】
図５乃至７において、第１のカード１０は、内部に集積回路（ＩＣ）が収納されており、記録媒体として広く使用されているものである。この第１のカード１０の一表面には、その一端側に複数の接触端子部１０ａが形成されており、この接触端子部１０ａが前記ハウジング１の収納部１ａに配設された前記第１のコネクタ端子２の接触片２ｂの接点部２ｃと接触することにより、外部に接続された電子機器との種々の情報処理が行われるものとなっている。
【００３４】
また、前記第１のカード１０には、前記接触端子部１０ａの形成側のその一隅部に、斜面状の切り欠き部１０ｂが設けられている。前記第１のカード１０が前記スライド部材６の第１のカード収容部６ａに挿入された時、この切り欠き部１０ｂと他端側の角部が前記スライド部材６の第１のカード収容部６ａの第１の係止部６ｃ、６ｄと係合することによって、前記スライド部材６が前記第１のカード１０の挿入に伴って挿入方向へ移動可能となるように形成されている。
【００３５】
また、前記第１のカード１０の一側面部には、カードの書き込み禁止を示す識別部である凹溝部１０ｃが形成され、この凹溝部１０ｃにはスライド可能な識別子１０ｄが設けられている。この識別子１０ｄをスライド移動させることにより、前記凹溝部１０ｃの位置を変更することができ、この位置に応じてカードへの書き込みの可否を変更することが可能となっている。
【００３６】
また、前記第１のカード１０の他側面部には、保持用凹部１０ｅが形成されている。この保持用凹部１０ｅに前記第１のカード収容部６ａの一側面部に設けられたばね性を有する前記第１の保持部材７が係合することで前記第１のカード１０を前記スライド部材６の第１のカード収容部６ａに保持させるものとなっている。
【００３７】
尚、前記第１のカード１０の下面側両端部には長尺状の切り溝部１０ｆが形成されており、この切り溝部１０ｆを除いた最大幅寸法はやや幅広に形成されており、これに対して最大厚さ寸法はやや肉薄に形成されたものとなっている。
【００３８】
図８乃至１０において、第２のカード１１は、内部に集積回路（ＩＣ）が収納されており、記録媒体として広く使用されているものである。この第２のカード１１の一表面には、その一端側に複数の接触端子部１１ａが形成されており、この接触端子部１１ａが前記ハウジング１の収納部１ａに配設された前記第２のコネクタ端子３の接触片３ｂの接点部３ｃと接触することにより、外部に接続された電子機器との種々の情報処理が行われるものとなっている。
【００３９】
また、前記第２のカード１１の一端部には傾斜面からなる切り欠き部１１ｂが形成されており、この切り欠き部１１ｂと一定の間隔をおいて前記第２のカード１１の一側面部には、保持用凹部１１ｃが形成されている。前記第２のカード１１を前記スライド部材６の第２のカード収容部６ｂに挿入する際、この保持用凹部１１ｃに、前記第２のカード収容部６ｂの一側面部に設けられたばね性を有する前記第２の保持部材８が係合することにより、第２のカード１１を前記スライド部材６の第２のカード収容部６ｂに保持させるものとなっている。
【００４０】
前記第２のカード１１が前記スライド部材６の第２のカード収容部６ｂに挿入された時、前記第２のカード１１の前縁部が前記スライド部材６の第２のカード収容部６ｂの第２の係止部６ｅに当接することによって、前記スライド部材６が前記第２のカード１１の挿入に伴って挿入方向へ移動可能となるように形成されている。
【００４１】
尚、前記第２のカード１１は略長方体状に形成されており、前記第１のカード１０に比較して、最大幅寸法はやや幅狭に形成されており、これに対して最大厚さ寸法はやや肉厚に形成されたものとなっている。また、挿入方向の長さが前記第１のカード１０よりも長く長尺状に形成されたものとなっている。
【００４２】
上記構成のように、形状の異なる、それぞれの前記第１のカード１０、及び前記第２のカード１１を前記ハウジング１のカード挿入部１ｂに挿入する場合、上記実施例の構成においては、前記カード挿入部１ｂの前記ガイド部１ｇ、１ｇは、最大幅が、幅広、肉薄である前記第１のカード１０の幅と略等しくなるように形成されており、また、最大厚さは、幅狭、肉厚である前記第２のカード１１の厚さと略等しくなるように形成されていることから、それぞれの前記第１、及び第２のカード１０、１１の挿入が可能となっており、形状の異なる複数種類のカードを円滑に、かつ確実にカードの挿着位置に案内することができるものとなっている。
【００４３】
また、前記第２のカード１１は前記第１のカード１０よりも挿入方向の長さが長く長尺状に形成されており、また、前記ハウジング１の収納部１ａには、前記第１のカード１０の接触端子部１０ａと接触する前記第１のコネクタ端子２と、前記第２のカード１１の接触端子部１１ａと接触する前記第２のコネクタ端子３とを、カードの挿入方向に違えて、それぞれの前記接触端子部１０ａ、１１ａの形成位置に対応させて配設するようにしてあるので、形状の異なる複数種類のカードと、これらを挿着するコネクタ装置のコネクタ端子との接触を確実に行うことができるものとなっている。
【００４４】
また、前記ハウジング１の収納部１ａに配設された前記第２のコネクタ端子３の配設位置は、前記第１のコネクタ端子２の配設位置よりもカード挿入部の奥方へ形成されており、前記ハウジング１に挿着された前記第１のカード１０の後縁部と、前記ハウジング１に挿着された前記第２のカード１１の後縁部との突出位置が略同一となるように形成してあるので、形状の異なる複数種類のカードを、同一のコネクタ装置に挿着した場合においても突出位置がばらつくことなく見た目が良好となる。
【００４５】
次に、図１１乃至図２０を用いて前記第１のカード１０、及び第２のカード１１をコネクタ装置に挿入する場合の動作を説明する。
まず、初期の状態、すなわち前記第１のカード１０が排出位置にある場合には、前記スライド部材６は前記復帰ばね４の付勢力によりカードの排出方向へ付勢されており、前記第１のコネクタ端子２の接触片２ｂは、前記スライド部材６の押さえ板部６ｆにより前記収納部１ａ内に突出するのを規制されている。この場合、前記第１のカード１０の接触端子部１０ａは前記接触片２ｂの接点部２ｃとは離間している。この時、前記第１のカード１０は、前記第１の保持部材７の係合片部７ｂにより前記保持用凹部１０ｅが係合されて前記第１のカード収容部６ａに保持されたものとなっている。（図１１、図１２）
【００４６】
尚、この時には、前記第１の保持部材７の係合片部７ｂに対向して設けられた前記舌片部７ｃは、前記カバー部材９に突出して設けられた前記押圧当接部９ａとは当接せず離間しており、この状態から前記第１のカード１０を取り出す場合には、前記第１の保持部材７の支持片部７ａが撓むことによって容易に取り出すことが可能となっている。（図１９）
【００４７】
次に、前記第１のカード１０をカードの挿入方向へ押圧してやると、前記第１のカード１０の切り欠き部１０ｂと他端側の角部が前記スライド部材６の第１のカード収容部６ａの第１の係止部６ｃ、６ｄと係合することによって、前記スライド部材６が前記第１のカード１０の挿入に伴って挿入方向へ移動可能となり、前記復帰ばね４の付勢力に抗して前記スライド部材６がカードの挿入方向へ移動して、前記ロックピン５の一端部が前記ハート型カム溝６ｈをトレースしてロック位置にロックされる。（図１３、図１４）
【００４８】
この場合、前記スライド部材６の押さえ板部６ｆが、前記第１のコネクタ端子２の接触片２ｂの規制位置から外れ、前記第１のカード１０の接触端子部１０ａと前記接触片２ｂの接点部２ｃとが接触するものとなる。この時、前記前記第１の保持部材７の係合片部７ｂに対向して形成された前記舌片部７ｃが、前記カバー部材９に設けられた押圧当接部９ａによって押圧されることにより、前記係合片部７ｂが前記第１のカードの保持用凹部１０ｅから離脱しないように支持され、前記第１のカード１０がカードの挿着位置に確実に保持されるものとなる。（図２０）
【００４９】
次に、前記第２のカード１１が初期の状態、すなわち排出位置にある場合には、前記スライド部材６は前記復帰ばね４の付勢力によりカードの排出方向へ付勢されており、前記第１のコネクタ端子２の接触片２ｂは、前記スライド部材６の押さえ板部６ｆにより前記収納部１ａ内に突出するのを規制されている。また、前記第２のカード１１の接触端子部１１ａは前記第２のコネクタ端子３の接触片３ｂの接点部３ｃとは離間している。この時、前記第２のカード１１は、前記第２の保持部材８の係合片部８ｂにより前記保持用凹部１１ｃが係合されて前記第２のカード収容部６ｂに保持されたものとなっている。（図１５、図１６）
【００５０】
次に、前記第２のカード１１をカードの挿入方向へ押圧してやると、前記第２のカード１１の前縁部が前記スライド部材６の第２のカード収容部６ｂの第２の係止部６ｅと係合することによって、前記スライド部材６が前記第２のカード１１の挿入に伴って挿入方向へ移動可能となり、前記復帰ばね４の付勢力に抗して前記スライド部材６がカードの挿入方向へ移動して、前記ロックピン５の一端部が前記ハート型カム溝６ｈをトレースしてロック位置にロックされる。（図１７、図１８）
【００５１】
この場合、前記スライド部材６の押さえ板部６ｆが、前記第１のコネクタ端子２の接触片２ｂの規制位置から外れ、前記第２のカード１１の底面と前記第１のコネクタ端子２の接触片２ｂとが摺接するものとなるが、この摺接距離はわずかで、反対に前記第２のカード１１が、カードの挿着位置まで挿入される過程において、前記第１のコネクタ端子２の接触片２ｂが前記収納部１ａ内に突出しないように規制されていることから、前記第２のカード１１のような長さの長いカードを挿入する際、挿入抵抗が大きくなったり、摩耗などの発生を防止することができる。
【００５２】
また、この時、前記第２の保持部材８の係合片部８ｂに対向して形成された前記舌片部８ｃが、前記ハウジング１に設けられた押圧当接部１ｊによって押圧されることにより、前記係合片部８ｂが前記第２のカード１１の保持用凹部１１ｃから離脱しないように支持され、前記第２のカード１１がカードの挿着位置に確実に保持されるものとなる。
【００５３】
このように、前記第１及び第２の保持部材７、８に、前記第１及び第２のカード１０、１１の保持用凹部１０ｅ、１１ｃに係合する係合片部７ｂ、８ｂと、この係合片部７ｂ、８ｂを弾性支持する支持片部７ａ、８ａとを形成して、前記ハウジング１及びカバー部材９には、カードの排出位置では前記支持片部７ａ、８ａとは離間されていると共に、カードの挿着位置では前記支持片部７ａ、８ａと当接することにより前記係合片部７ｂ、８ｂを前記第１及び第２のカード１０、１１の保持用凹部１０ｅ、１１ｃに係合させるための前記押圧当接部９ａ、１ｊを形成するようにしたので、カードを挿着した状態では係合部の弾発力を高めることができると共に、カードの排出時には係合部の弾発力を弱くすることが可能となる。従って、カードの挿着時においてはカードを確実に保持することができ、カードの排出時にはカードを容易に取り出すことができるものとなっている。
【００５４】
また、前記第１のカード１０は幅広かつ肉薄に形成され、前記第２のカード１１は前記第１のカード１０より幅狭かつ肉厚に形成されており、また、前記第１のカード１０を収容する前記第１のカード収容部６ａに形成された前記第１の係止部６ｃ、６ｄは、前記スライド部材６の内側部の対向された位置に形成されると共に、前記第１の係止部６ｃ、６ｄ間の幅寸法を前記第１のカード１０の幅寸法よりも狭く、且つ前記第２のカード１１の幅寸法よりも広く形成するようにしたので、前記第２のカード１１の挿入時には、前記第２のカード１１が前記第１の係止部６ｃ、６ｄを通過して前記第２の係止部６ｅと当接することから、挿入過程において前記第２のカード１１が前記第１のコネクタ端子２と摺接するのを防止することができ、前記第２のカード１１の接触端子部１１ａを前記第２のコネクタ端子３と直接接触させることが可能となっている。
【００５５】
また、前記スライド部材６は、前記復帰ばね４によってカードの排出方向へ付勢されるように形成されており、前記スライド部材６をカードの挿着位置にロックする手段として、前記スライド部材６に前記ハート型カム溝６ｈを形成し、このハート型カム溝６ｈと一端部が係合する前記係合ピン５の他端部を前記ハウジング１に軸支するように構成したので、簡単な構造で、カードを挿着位置にロックできると共に、カードを排出位置に円滑に排出させることが可能となっている。
【００５６】
図２１及び図２２に示すのは、前記スライド部材６の他の実施例を示しており、この場合、上記図１乃至図４に示す構成と異なるのは、前記スライド部材６を第１のスライド部材１６と第２のスライド部材２６とに分割して構成した点である。
尚、図１乃至図４で説明した同一部品については同一符号を付してその説明を省略する。
【００５７】
この場合、第１のスライド部材１６には、前記第１のカード１０が収容される第１のカード収容部１６ａと、この第１のカード収容部１６ａの内側部の対向した位置には、前記第１のカード１０の両側前端部と当接する一対の第１の係止部１６ｃ、１６ｄが形成されている。この第１の係止部１６ｃ、１６ｄ相互間の幅寸法は、前記第１のカード１０の幅よりも狭く、且つ、前記第２のカード１１の幅よりも広く形成されたものとなっている。
【００５８】
また、前記第１のカード収容部１６ａの前部には、横桟状に懸架された押さえ板部１６ｆが形成されている。この押さえ板部１６ｆは、前記第１のスライド部材１６がカードの排出位置に移動した状態では、前記第１のコネクタ端子２の接触片２ｂと当接して、前記第１のコネクタ端子２の接触片２ｂが前記収納部１ａ内へ突出するのを規制するようになっている。
【００５９】
また、前記第１のカード収容部１６ａの一側面部には、収容される前記第１のカード１０の側面部に設けられた保持用凹部１０ｅに係合する、ばね性を有する金属板等からなる第１の保持部材１７が固着されている。また、一端側には、前記第１のスライド部材１６をカードの排出方向へ付勢する第１の復帰ばね１４が配設されており、他端側には、前記ハウジング１に軸支されたロックピン（図示せず）が摺接されるハート型カム溝（図示せず）が形成されている。
【００６０】
第２のスライド部材２６には、前記第２のカード１１が収容される第２のカード収容部２６ａと、この第２のカード収容部２６ａの前端部には、前記第２のカード１１の前縁部と当接する横桟状の第２の係止部２６ｂが形成されている。
【００６１】
また、前記第２のカード収容部２６ａの一側面部には、収容される前記第２のカード１１の側面部に設けられた保持用凹部１１ｃに係合する、ばね性を有する金属板等からなる第２の保持部材１８が固着されている。また、前記ハウジング１のばね収容部１ｉに収容された、第２の復帰ばね２４の一端側が係止されるばね係止部２６ｃが設けられており、また前記第２のスライド部材２６の一端側には、前記ハウジング１に軸支されたロックピン２５が摺接されるハート型カム溝（図示せず）が形成されている。
【００６２】
次に、図２３乃至図３０を用いて前記第１のカード１０、及び第２のカード１１をコネクタ装置に挿入する場合の動作を説明する。
まず、初期の状態、すなわち前記第１のカード１０が排出位置にある場合には、前記第１のスライド部材１６及び第２のスライド部材２６は前後に重なった状態で前記第１の復帰ばね１４及び第２の復帰ばね２４の付勢力によりカードの排出方向へ付勢されており、前記第１のコネクタ端子２の接触片２ｂは、前記第１のスライド部材１６の押さえ板部１６ｆにより前記収納部１ａ内に突出するのを規制されている。この場合、前記第１のカード１０の接触端子部１０ａは前記接触片２ｂの接点部２ｃとは離間している。この時、前記第１のカード１０は、前記第１の保持部材１７により前記第１のカード収容部１６ａに保持されたものとなっている。（図２３、図２４）
【００６３】
次に、前記第１のカード１０をカードの挿入方向へ押圧してやると、前記第１のカード１０の切り欠き部１０ｂと他端側の角部が前記第１のスライド部材１６の第１のカード収容部１６ａの第１の係止部１６ｃ、１６ｄと係合することによって、前記第１のスライド部材１６及び第２のスライド部材２６が前記第１のカード１０の挿入に伴って挿入方向へ移動可能となり、前記第１の復帰ばね１４及び第２の復帰ばね２４の付勢力に抗して前記第１のスライド部材１６及び第２のスライド部材２６の両方が一緒にカードの挿入方向へ移動して、前記ロックピン２５等により図示しないハート型カム溝のロック位置にロックされる。
【００６４】
この場合、前記第１のスライド部材１６の押さえ板部１６ｆが、前記第１のコネクタ端子２の接触片２ｂの規制位置から外れ、前記第１のカード１０の接触端子部１０ａと前記接触片２ｂの接点部２ｃとが接触するものとなる。（図２５、図２６）
【００６５】
次に、前記第２のカード１１が初期の状態、すなわち排出位置にある場合には、前記第１のスライド部材１６及び第２のスライド部材２６は前記第１の復帰ばね１４及び第２の復帰ばね２４の付勢力によりカードの排出方向へ付勢されており、前記第１のコネクタ端子２の接触片２ｂは、前記第１のスライド部材１６の押さえ板部１６ｆにより前記収納部１ａ内に突出するのを規制されている。また、前記第２のカード１１の接触端子部１１ａは前記第２のコネクタ端子３の接触片３ｂの接点部３ｃとは離間している。この時、前記第２のカード１１は、前記第１のスライド部材１６の第１のカード収容部１６ａを挿通して、前記第２の保持部材１８により前記第２のカード収容部２６ａに保持されたものとなっている。（図２７、図２８）
【００６６】
次に、前記第２のカード１１をカードの挿入方向へ押圧してやると、前記第２のカード１１の前縁部が前記第２のスライド部材２６の第２のカード収容部２６ａの第２の係止部２６ｂと係合することによって、前記第２のスライド部材２６が前記第２のカード１１の挿入に伴って挿入方向へ移動可能となり、前記第２の復帰ばね２４の付勢力に抗して前記第２のスライド部材２６のみがカードの挿入方向へ移動して、前記ロックピン２５により図示しないハート型カム溝のロック位置にロックされる。（図２９、図３０）
【００６７】
この場合、前記第１のスライド部材１６は移動せず、押さえ板部１６ｆが、前記第１のコネクタ端子２の接触片２ｂを規制していることから、前記第２のカード１１の底面と前記第１のコネクタ端子２の接触片２ｂとが摺接することがなく、前記第２のカード１１が、カードの挿着位置まで挿入される過程において、前記第１のコネクタ端子２の接触片２ｂが前記収納部１ａ内に突出しないように規制されていることから、前記第２のカード１１のような長さの長いカードを挿入する際、挿入抵抗が大きくなったり、摩耗などの発生を完全に防止することができるものとなっている。
【符号の説明】
【００６８】
１：ハウジング
１ａ：収納部
１ｂ：カード挿入部
１ｃ：第１の開口部
１ｄ：第２の開口部
１ｅ：第３の開口部
１ｆ：平坦部
１ｇ：ガイド部
１ｈ：ばね収納部
１ｉ：軸孔
１ｊ：押圧当接部
２：第１のコネクタ端子
２ａ：接続片
２ｂ：接触片
２ｃ：接点部
３：第２のコネクタ端子
３ａ：接続片
３ｂ：接触片
３ｃ：接点部
４：復帰ばね
５：ロックピン
６：スライド部材
６ａ：第１のカード収容部
６ｂ：第２のカード収容部
６ｃ，６ｄ：第１の係止部
６ｅ：第２の係止部
６ｆ：押さえ板部
６ｇ：ばね係止部
６ｈ：ハート型カム溝
７：第１の保持部材
７ａ：支持片部
７ｂ：係合片部
７ｃ：舌片部
７ｄ：傾斜面
８：第２の保持部材
８ａ：支持片部
８ｂ：係合片部
８ｃ：舌片部
８ｄ：傾斜面
９：カバー部材
９ａ：押圧当接部
９ｂ：付勢ばね片
１０：第１のカード
１０ａ：接触端子部
１０ｂ：切り欠き部
１０ｃ：凹溝部
１０ｄ：識別子
１０ｅ：保持用凹部
１０ｆ：切り溝部
１１：第２のカード
１１ａ：接触端子部
１１ｂ：切り欠き部
１１ｃ：保持用凹部
１４：第１の復帰ばね
１６：第１のスライド部材
１６ａ：第１のカード収容部
１６ｃ，１６ｄ：第１の係止部
１６ｆ：押さえ板部
１７：第１の保持部材
１８：第２の保持部材
２４：第２の復帰ばね
２５：ロックピン
２６：第２のスライド部材
２６ａ：第２のカード収容部
２６ｂ：第２の係止部
２６ｃ：ばね係止部
【図１】
0004756086.tif 000002
【図２】
0004756086.tif 000003
【図３】
0004756086.tif 000004
【図４】
0004756086.tif 000005
【図５】
0004756086.tif 000006
【図６】
0004756086.tif 000007
【図７】
0004756086.tif 000008
【図８】
0004756086.tif 000009
【図９】
0004756086.tif 000010
【図１０】
0004756086.tif 000011
【図１１】
0004756086.tif 000012
【図１２】
0004756086.tif 000013
【図１３】
0004756086.tif 000014
【図１４】
0004756086.tif 000015
【図１５】
0004756086.tif 000016
【図１６】
0004756086.tif 000017
【図１７】
0004756086.tif 000018
【図１８】
0004756086.tif 000019
【図１９】
0004756086.tif 000020
【図２０】
0004756086.tif 000021
【図２１】
0004756086.tif 000022
【図２２】
0004756086.tif 000023
【図２３】
0004756086.tif 000024
【図２４】
0004756086.tif 000025
【図２５】
0004756086.tif 000026
【図２６】
0004756086.tif 000027
【図２７】
0004756086.tif 000028
【図２８】
0004756086.tif 000029
【図２９】
0004756086.tif 000030
【図３０】
0004756086.tif 000031